(57)【要約】  持ち上げ式ベッド構造は、固定された骨組み（２）と、前方に伸展した水平位置と後方への鉛直方向の立上位置との間で旋回できるように横方向旋回軸（６）の周りに旋回するように備え付けられる、寝具を支持することができる旋回骨組み（５）と、座席を支持することができ、高い前進位置と、高い前進位置よりも可動支持部（２３）が低くなる低い格納位置との間で移動できるように固定された骨組み（２）に移動可能に備え付けられる可動支持部（２３）とを備え、可動支持部（２３）は、前進位置では、立上位置における旋回骨組み（５）の前方に少なくとも部分的に延び、格納位置では、伸展位置における旋回骨組み（５）よりも少なくとも部分的に下方を、旋回骨組み（５）からある距離で延びる。
2019510612.tif 000002
【特許請求の範囲】
【請求項１】
固定された骨組み（２）と、
寝具を支持することができる旋回骨組み（５）であって、前方に伸展した水平位置と、後方の鉛直方向の立上位置との間で旋回できるように横方向旋回軸（６）において旋回するように備え付けられる旋回骨組み（５）と、
座席を支持することができ、高い前進位置と、前記高い前進位置よりも可動支持部（２３）が低くなる低い格納位置との間で変位させることができるように前記固定された骨組み（２）に移動可能に備え付けられる可動支持部（２３）であって、前記可動支持部（２３）は、前進位置では、立上位置における前記旋回骨組み（５）の前方に少なくとも部分的に延び、格納位置では、伸展位置における前記旋回骨組み（５）よりも少なくとも部分的に下方を、前記旋回骨組み（５）からある距離で延びる可動支持部（２３）と、
前記固定された骨組み（２）に対して前記高い前進位置と前記低い格納位置との間前記可動支持部（２３）の移動を決定する案内手段と、
前記旋回骨組み（５）と前記可動支持部（２３）とをつなぐリンク手段（３４）であって、前記リンク手段（３４）は、前記旋回骨組み（５）が、前記移動に従って、前記立上位置から前記伸展位置へと旋回される場合に、前記可動支持部（２３）を前記前進位置から前記格納位置まで変位させることができ、前記旋回骨組み（５）が前記伸展位置から前記立上位置へと旋回される場合に前記可動支持部（２３）を前記格納位置から前記前進位置まで変位させることができる、リンク手段（３４）と、
を備える持ち上げ式ベッド構造。
【請求項２】
前記案内手段は、前記固定された骨組み（２）に備え付けられた案内部（２７、２８）と、前記可動支持部（２３）に備え付けられ、前記案内部と協働するローラ（３１、３２）またはランナとを備える、請求項１に記載の構造。
【請求項３】
前記案内部（２７、２８）は水平方向の前末端部分（２９ａ、３０ａ）を有する、請求項２に記載の構造。
【請求項４】
前記リンク手段（３４）は、一方で前記旋回骨組み（５）に関節接合され、他方で前記可動支持部（２３）に関節接合された少なくとも１つの腕部（３５）を備える、請求項１から３のいずれか一項に記載の構造。
【請求項５】
関節接合された前記腕部（３５）は、横方向旋回部（３６）によって前記可動支持部（２３）につなげられ、前記旋回骨組み（５）によって担持される横方向旋回部（３８）が係合される進行補償開口（３７）を有する、請求項４に記載の構造。
【請求項６】
前記旋回骨組み（５）には被覆仕上げ板（１９）が備え付けられ、前記可動支持部（２３）は、格納位置において、伸展位置における前記旋回骨組み（５）の前記被覆仕上げ板よりも少なくとも部分的に下方を、前記被覆仕上げ板からある距離で延びる、請求項１から５のいずれか一項に記載の構造。
【請求項７】
前記固定された骨組み（２）は、伸展位置における前記旋回骨組み（５）のための当接部（２０ａ）を形成する前横材（２０）を備える、請求項１から６のいずれか一項に記載の構造。
【請求項８】
前記固定された骨組み（２）は、自己支持するように床上に支持部を有する、請求項１から７のいずれか一項に記載の構造。
【請求項９】
前記旋回骨組み（５）の前記横方向旋回軸（６）の下方かつ前方に位置する補強および捩じれ防止の横材（７）によってつなげられた側方フランジ（３）を備える、請求項１から８のいずれか一項に記載の構造。
【請求項１０】
前記旋回骨組み（５）と前記補強および捩じれ防止の横材（７）との間に少なくとも１つのシリンダを備える、請求項９に記載の構造。
【発明の詳細な説明】
【技術分野】
【０００１】
本発明は、家具の分野に関し、より詳細には、持ち上げ式ベッドの分野に関する。
【背景技術】
【０００２】
特許文献１は、マットレスを担持することができる立ち上げ可能な旋回骨組みを担持する固定された骨組みを備えた持ち上げ式ベッドを説明している。このベッドは、旋回骨組みに固定された第１の腕部と、固定された骨組みに関節接合された第２の腕部とによって関節接合された手法で担持される可動支持部を備えており、第１の腕部は、旋回骨組みが旋回している間に可動骨組みの移動を引き起こす。
【先行技術文献】
【特許文献】
【０００３】
【特許文献１】ＷＯ２０１３／１５６１４１
【発明の概要】
【課題を解決するための手段】
【０００４】
固定された骨組みと、寝具を支持することができる旋回骨組みであって、前方に伸展した水平位置と、後方への鉛直方向の立上位置との間で旋回できるように横方向旋回軸において旋回するように備え付けられる旋回骨組みと、座席を支持することができ、高い前進位置と、高い前進位置よりも可動支持部が低くなる低い格納位置との間で変位させることができるように、固定された骨組みに移動可能に備え付けられる可動支持部であって、可動支持部は、前進位置では、立上位置における旋回骨組みの前方に少なくとも部分的に延び、格納位置では、伸展位置における旋回骨組みよりも少なくとも部分的に下方を、旋回骨組みからある距離で延びる可動支持部と、を備える持ち上げ式ベッド構造が提案される。
【０００５】
持ち上げ式ベッド構造は、固定された骨組みに対する可動支持部の進行を、高い前進位置と低い格納位置との間で決定する案内手段と、旋回骨組みと可動支持部とをつなぎ、旋回骨組みが、前記進行に沿って、立上位置から伸展位置へと旋回される場合に可動支持部を前進位置から格納位置へと変位させることができ、伸展位置から立上位置へと旋回される場合に可動支持部を格納位置から前進位置へと変位させることができる、案内手段とは別個のリンク手段とを備える。
【０００６】
案内手段は、固定された骨組みに備え付けられた案内部と、可動支持部に備え付けられ、案内部と協働するローラまたはランナとを備え得る。
【０００７】
案内部は水平方向の前末端部分を有し得る。
【０００８】
旋回骨組みと可動支持部との間のリンク手段は、一方で旋回骨組みに関節接合され、他方で可動支持部に関節接合された少なくとも１つの腕部を備え得る。
【０００９】
関節接合された腕部は、横方向旋回部によって可動支持部につなげられてもよく、旋回骨組みによって担持される横方向旋回部が係合される進行補償開口を有してもよい。
【００１０】
旋回骨組みには被覆仕上げ板が備え付けられてもよく、可動支持部は、格納位置において、伸展位置における旋回骨組みのこの被覆仕上げ板よりも少なくとも部分的に下方を、被覆仕上げ板からある距離で延びる。
【００１１】
固定された骨組みは、伸展位置における旋回骨組みのための当接部を形成する前横材を備え得る。
【００１２】
固定された骨組みは、自己支持するように床上に支持部を有してもよい。
【００１３】
構造は、旋回骨組みの横方向旋回軸の下方かつ前方に位置する補強および捩じれ防止の横材によってつなげられた側方フランジを備え得る。
【００１４】
構造は、旋回骨組みと前記補強および捩じれ防止の横材との間に少なくとも１つのシリンダを備え得る。
【００１５】
ここで、立ち上げ可能なマットレスと格納可能な座席とを伴う持ち上げ式ベッド構造が、図面によって例示される非限定的な例示の実施形態を用いて記載される。
【図面の簡単な説明】
【００１６】
【図１】伸展位置における、マットレスも座席も伴わないベッド構造の斜視図である。
【図２】立上位置における、マットレスも座席も伴わないベッド構造の斜視図である。
【図３】伸展位置における、マットレスも座席も伴わないベッド構造の長手方向での断面図である。
【図４】立上位置における、マットレスも座席も伴わないベッド構造の長手方向での断面図である。
【図５】伸展位置における、マットレスと座席とを伴うベッド構造の長手方向での断面図である。
【図６】中間の立上位置における、マットレスと座席とを伴うベッド構造の長手方向での断面図である。
【図７】立上位置における、マットレスと座席とを伴うベッド構造の長手方向での断面図である。
【発明を実施するための形態】
【００１７】
持ち上げ式ベッド構造１は、床に載置されるように意図された水平方向の底縁４を有する、横方向に離間された２つの対向する側方フランジ３を備える固定された骨組み２を備えている。
【００１８】
持ち上げ式ベッド構造１は、側方フランジ３同士の間に係合された部品を有する旋回骨組み５を備えており、旋回骨組み５は、実質的に水平方向に延びる伸展位置と、実質的に鉛直方向に配置される後方の立上位置との間で旋回できるように、これらの側方フランジ３で横方向旋回軸６において旋回するように備え付けられている。
【００１９】
本明細書での記載によれば、旋回骨組み５の伸展位置は、前と後との間の長手方向と、この長手方向に対して直角である横方向とが確立される基準位置である。
【００２０】
旋回骨組み５がその立上位置（図２、図４、および図７）からその伸展位置（図１、図３、および図５）へと切り替わる場合、旋回骨組み５は前方へと旋回され、そのいわゆる「前」または「足」の部分が高い位置から低い位置へと切り替わり、側方フランジ３同士の間に係合されるそのいわゆる「後」または「頭」の部分が横方向旋回軸６において側方フランジ３に対して旋回する。
【００２１】
固定された骨組み２は、端が側方フランジ３に固定されているリンク横材７を備えている。リンク横材７は横方向旋回軸６の下方かつ前方に配置されている。リンク横材７はまた、補強および捩じれ防止の部材を構成している。例えば、リンク横材７は、正方形、長方形、丸形、Ｔ字形、または同様の断面の構造的な棒材によって形成され、その端に、ネジによって側方フランジ３の対向する面に固定された板が設けられる。
【００２２】
旋回骨組み５は、対向する側方縦通材９およびそれら側方縦通材９の端同士をつなぐ対向する横方向棒材１０を備える実質的に長方形のフレーム８と、それら側方縦通材９の中心同士をつなぎ、それら横方向棒材１０の中心同士をつなぎ、十字を形成する中間棒材１１および１２とを備えている。
【００２３】
旋回骨組み５が、固定された骨組み２において旋回するように備え付けられることを確保するために、横方向旋回軸６に沿って配置された横方向旋回部１３は、側方縦通材９と側方フランジ３との間に置かれ、これらの横方向旋回部１３は、側方縦通材９の長さが与えられたフレーム８の後方横方向棒材１０から短い距離のところに設けられている。
【００２４】
旋回骨組み５が伸展位置にある場合（図１、図３、および図５）、フレーム８は、リンク横材７の上方でリンク横材７から短い距離にある。旋回骨組み５が立上位置にある場合（図２、図４、および図７）、フレーム８はリンク横材７の後にあり、リンク横材７は、終点の当接部を構成することができる。
【００２５】
旋回骨組み５は、例えばフレーム８の上面および横棒材１１および１３の上面に、例えばスラット付き基部１５を介して、マットレス１４を支持することができる。マットレス１４およびスラット付き基部１５は、ストラップ（図示せず）と、マットレス１４の後方部分が載置されることになる旋回骨組み５の後横方向板１６とによって保持され得る。
【００２６】
旋回骨組み５は、端がずれた棒材１８によって縦通材９と中間棒材１２とにつなげられている底横方向棒材１７を備えている。
【００２７】
旋回骨組み５には、横方向棒材１７に固定された被覆板１９が設けられている。被覆板１９は、フレーム８と平行にフレーム８からある距離で延びており、このフレーム８の表面を覆っている。
【００２８】
旋回骨組み５が伸展位置にある場合（図１、図３、および図５）、被覆板１９は底横方向棒材１７の下に延び、リンク横材７よりも下方の、リンク横材７からある距離のところにある。
【００２９】
旋回骨組み５が立上位置にある場合（図２、図４、および図７）、被覆板１９は仕上げ面として延び、リンク横材７よりも前方の、リンク横材７からある距離のところにある。
【００３０】
旋回骨組み５が伸展位置にある場合（図１、図３、および図５）、被覆板１９は、横方向関節軸６およびリンク横材７の前に位置する前横材２０の上縁２０ａに載って、側方フランジ３につながり、横材２０は、旋回骨組み５のための下向きの終点の当接部を形成する。好ましくは、被覆板１９を担持する横材１７うちの１つは、横材２０の上縁２０ａの上方に位置する。
【００３１】
例えば、横材２０は、端が側方フランジ３の鉛直方向の前縁に固定される鉛直板によって形成でき、この板はＬ字形の折り曲げによって補強することができる。
【００３２】
旋回骨組み５が立上位置にある場合（図２、図４、および図７）、横材２０は、被覆板１９と横材２０との間および側方フランジ３同士の間に、上向きに開口する自由空間２１ができるように、被覆板１９の前に位置する。
【００３３】
旋回骨組み５を固定された骨組み２に対して旋回させるために、リンク横材７と旋回骨組み５の縦通材９との間に備え付けられ、それらに横方向するように関節接合される、例えば電気、ガス、またはバネのシリンダ１９といった、側方作動シリンダ２２も設けられる。
【００３４】
持ち上げ式ベッド１は、自由空間２１において少なくとも部分的に配置される可動支持部２３をさらに備えており、可動支持部２３は、使用位置に対応する高い前進位置と、前進位置よりも可動支持部２３が低くなる格納位置に対応する低い格納位置（図１、図３、および図５）との間で変位させることができるように、固定された骨組み２に移動可能に備え付けられる。
【００３５】
高い前進位置から低い格納位置への進行の少なくとも一部分にわたって、可動支持部２３は下降しながら後方に引き込む。反対に、低い格納位置から高い前進位置への進行の少なくとも一部分にわたって、可動支持部２３は上昇しながら前方に進む。
【００３６】
可動支持部２３は、前進位置では、立上位置にある旋回骨組み５の前方に少なくとも部分的に延び、可動支持部２３は、格納位置では、伸展位置にある旋回骨組み５よりも少なくとも部分的に下方を、旋回骨組み５からある距離で延びる。
【００３７】
可動支持部２３は、側方縦通材２５と、それら縦通材２５の端同士をつなぐ横方向棒材２６とを備える長方形のフレーム２４を備えている。
【００３８】
フランジ３にはそれらの対向する面に、対向する対の案内溝２９および３０を形成する、長手方向にずらされた二対の対向する案内部２７および２８が設けられている。
【００３９】
側方縦通材２５には、案内溝２９および３０に係合された対向するローラ３１および３２が側方に設けられている。これらのローラは、縦通材に備え付けられたランナに置き換えられてもよく、場合によっては横方向軸においてこれらの縦通材２５において関節接合されてもよい。
【００４０】
案内溝２９および３０は次のように配置される。
【００４１】
旋回骨組み５が立上位置にある場合（図２、図４、および図７）、可動支持部２３の長方形のフレーム２４は、その高い前進位置において、固定された骨組み２の前横材２０を形成する板の上部分と旋回骨組み５の被覆板１９の底部分との間で実質的に水平方向に延びる。そのため、可動支持部２３の長方形のフレーム２４は、旋回骨組み５の底部分の前方と、固定された骨組み２のリンク横材７の前方に、かつこのリンク横材７よりも下に位置する高さにおいて延びる。
【００４２】
フレーム２４は、縦通材２５が、対向する案内部２７および２８から短い距離にあり、横方向棒材２６が被覆板１９および前横材２０から短い距離にあるように、寸法決定されている。
【００４３】
旋回骨組み５が伸展位置にある場合（図１、図３、および図５）可動支持部２３の長方形のフレーム２４は、その低い格納位置において、その高い前進位置に対して後方下向きにずらされており、被覆板１９からある距離において、実質的に水平方向に、または、若干後方に向けて下に傾斜されて延び、そのため、旋回骨組み５よりも下方を、旋回骨組み５からある距離で延びており、より具体的には、固定された骨組み２のリンク横材７の下方で延びている。
【００４４】
案内溝２９および３０とローラ３１および３２とは、スライドする案内手段を構成する。案内溝２９および３０は、ローラ３１および３２のスライドする進行を決定し、後方下向きに傾斜される部分２９ｂおよび３０ｂが続く短い水平な前末端部分２９ａおよび３０ａを有している。
【００４５】
可動支持部２３の長方形のフレーム２４の高い前進位置において（図３および図５）、ローラ３１および３２は、可動支持部２３が水平方向の変位を引き起こすことなく鉛直方向の荷重を支持できるように、案内溝２９および３０の水平方向の前末端部分２９ａおよび３０ａの位置にある。
【００４６】
その高い前進位置から（図４および図７）、可動支持部２３は、短い水平方向の前末端部分２９ａおよび３０ａによって決定される水平方向の進行にわたって後方へと変位され、次に、後方下向に傾斜されている進行にわたってそれ自体に対して実質的に平行に変位させることができ、可動支持部２３は、その低い格納位置に到達するように下降する間に後退する。
【００４７】
持ち上げ式ベッド１は、前記案内手段とは別のリンク手段３４をさらに備え、リンク手段３４は旋回骨組み５と可動支持部２３とをつないでいる。これらの手段３４は、旋回骨組み５が、その立上位置から伸展位置へと旋回される場合に可動支持部２３をその高い前進位置（図４および図７）からその低い格納位置（図３および図５）に変位させることができ、その伸展位置から立上位置へと旋回される場合に可動支持部２３をその低い格納位置からその高い前進位置に変位させることができる。
【００４８】
リンク手段３４は、一方で可動支持部２３に関節接合され、他方で旋回骨組み５に関節接合される対向する側方腕部３５を備えている。
【００４９】
関節接合された側方腕部３５は、横方向旋回部３６を介して可動支持部２３の縦通材２５の短い後方への延在部において回転するように備え付けられ、それらの長さ方向に、旋回骨組み５の縦通材９の後方の延在部によって担持される横方向旋回部３８が係合される進行補償開口３７を有している。
【００５０】
関節接合された側方腕部３５は弓状であり、それらの凹状形態は旋回骨組み５の後部分の側にある。
【００５１】
旋回骨組み５がその伸展位置にあり（図１、図３、および図５）、可動支持部２３がその高い前進位置にある場合、旋回部３８は、旋回部３６に最も近い進行補償開口３７の端に位置し、近接位置にある。
【００５２】
旋回骨組み５がその立上位置にあり（図２、図４、および図７）、可動支持部２３がその低い格納位置にある場合、旋回部３８は、旋回部３６から最も遠い進行補償開口３７の端に位置し、離間位置にある。
【００５３】
旋回骨組み５がその伸展位置（図１、図３、および図５）から旋回される場合、角度進行の第１の位置において、旋回部３８は、進行補償開口３７に沿って、それらの離間位置から近接位置へと変位させられる。次に、角度進行の第２の位置において、旋回骨組み５は、その立上位置に到達する場合（図２、図４、および図７）、可動支持部２３をその低い格納位置からその高い前進位置へと駆動する。
【００５４】
可動支持部２３の高い前進位置は、固定された骨組み２の前側方当接部３９によって制限でき、可動支持部２３の低い格納位置は、固定された骨組み２の後側方当接部４０によって制限できる（図７）。
【００５５】
可動支持部２３は、フレーム２４によって担持されるスラット付き基部４１ａなどを介して、座席４１を支持することができる。座席４１は、実質的に平行六面体の、１つの座席クッションまたは横方向に隣接するいくつかの座席クッションによって形成できる。
【００５６】
旋回骨組み５および可動支持部２３の前述した移動は、旋回骨組み５がその立上位置（図２、図４、および図７）にあり、可動支持部２３がその高い前進位置にあって、マットレス１４が収容された鉛直位置にある場合に、座席４１が被覆板１９の前方の使用位置を占め、旋回骨組み５がその伸展位置（図１、図３、および図５）にあり、可動支持部２３がその低い格納位置にあって、マットレス１４が水平方向の使用位置にある場合に、座席４１が、固定された骨組み２の内部で被覆板１９の下方の収容または格納された位置を占めるように設計されている。
【００５７】
低い格納位置における可動支持部２３と、伸展位置における旋回骨組み５の被覆板１９との間の空間は、座席４１を押し潰すことなく、または可能性としては座席４１をわずかにも押し潰すことなく、収容位置において座席４１をその空間に収めるように設計されている。
【００５８】
さらに、可動支持部２３は、可動支持部に圧力を加えてその高い前進位置（図４）からその低い格納位置（図３）にする、変位支援バネまたは弾性引っ張り装置２３ａ（図１）の影響下に置くことができる。
【００５９】
有利には、固定された骨組み２は自己支持である。
【００６０】
そのために、旋回骨組み５が伸展位置において載置される側方フランジ３の前縁同士をつなぐ横材２０の長手方向位置は、前方へと傾くのを防止するために、横材２０および側方フランジ３の床支持部の前後で、完全に装備されたベッド１の重量または質量から生じるトルクの釣り合いの位置の前になければならない。例えば、横材２０は、旋回骨組み５の前から相当の距離を残しつつ、旋回骨組み５の長さの中心の前に位置する。また、完全に装備された旋回骨組み５が立上位置にある場合、固定された骨組み２の床支持部は、具体的には横方向関節軸６の長手方向位置を考えると、具体的には後方において、ベッドの傾きを防止する。
【００６１】
したがって、完全に装備されたベッド１は、固定された骨組み２を床または隣接する壁に固定する必要なく、また、旋回骨組み５に前の支持足を備え付ける必要なく、使用できる。
【００６２】
有利には、以下の構成が採用され得る。
【００６３】
側方フランジ３は、後部品３ａと、後部品３ａの前で後部品３ａより低く伸展された前部品３ｂとを備える。
【００６４】
側方フランジ３の前部品３ｂの上縁は、板の形態の前横材２０の上縁と同じ高さである。
【００６５】
側方フランジ３の後部品３ａは、前部品３ｂの上縁よりも高い位置にある高さに、リンク横材７と横方向旋回部１３とを担持する。
【００６６】
側方フランジ３の後部品３ａの上部前方の鉛直な縁は、旋回骨組み５がその立上位置にある場合、被覆板１９の側方延在部の領域にあり得る。
【００６７】
側方フランジ３の後部の鉛直な縁同士は、鉛直板４２によってつなげられ得る。
【００６８】
側方フランジ３の底の縁同士は、水平板４３によってつなげられ得る。
【００６９】
被覆板が設けられてもよい。具体的には、旋回骨組み５には、被覆板１９の縁と、フレーム８に隣接してフレーム８につなげられる縁とにつなげられる縁を有する側方板４４および前板４５が備え付けられ得る。
【００７０】
側方フランジ３には、外部に、アームレストを形成するブロックが備え付けられてもよい。
【００７１】
旋回骨組み５が立上位置にあり、座席４１が使用位置にある場合、１つまたは複数のクッションによって形成された取り外し可能な背もたれ（図示せず）が被覆板１９に接触して置かれてもよい。
【００７２】
変形の一実施形態によれば、背もたれは被覆板１９に接触して固定されてもよい。このような背もたれは、次に、旋回骨組み５の前方への旋回時に、収容位置にある座席４１の上方の収容される位置に持って行かれてもよく、その逆も然りである。
【００７３】
さらに、ベッドは、側方フランジに接触して外部に固定された側方板と、これらの側方板の上端につなげられた上部とが備え付けられてもよい。これらの側方板は、伸展位置におけるベッドのいずれかの側にある間隙の存在、および、ベッドサイドテーブルの配置を見込んで縮小された幅を有し得る。
【符号の説明】
【００７４】
１  持ち上げ式ベッド構造
２  固定された骨組み
３  側方フランジ
４  底縁
５  旋回骨組み
６  横方向旋回軸、横方向関節軸
７  リンク横材
８  フレーム
９  側方縦通材
１０  横方向棒材
１１  中間棒材、交差棒材
１２  中間棒材
１３  交差棒材
１４  マットレス
１５  スラット付き基部
１６  後横方向板
１７  底横方向棒材
１８  棒材
１９  被覆板
２０  前横材、横材
２１  自由空間
２２  側方作動シリンダ
２３  可動支持部
２４  フレーム
２５  側方縦通材
２６  横方向棒材
２７、２８  案内部
２９、３０  案内溝
３４  リンク手段
３５  側方腕部
３６  横方向旋回部
３７  進行補償開口
３８  横方向旋回部
３９  前側方当接部
４０  後側方当接部
４１  座席
４２  鉛直板
４３  水平板
４４  側方板
４５  前板
【図１】
2019510612.tif 000003
【図２】
2019510612.tif 000004
【図３】
2019510612.tif 000005
【図４】
2019510612.tif 000006
【図５】
2019510612.tif 000007
【図６】
2019510612.tif 000008
【図７】
2019510612.tif 000009
【国際調査報告】
2019510612.tif 000010
2019510612.tif 000011
2019510612.tif 000012
2019510612.tif 000013